(57)【特許請求の範囲】
【請求項１】
表示パネルであって、
前記表示パネルは全体密閉型または一部分密閉型のケース構造を有し、
前記ケース構造の内部には視野角が１８０度から３６０度である連続画像が水平方向に提供され、
前記ケース構造は、筒部と、前記筒部に接続されている端部とを含み、
前記筒部の側壁の水平断面は直線状に形成され、
前記筒部の水平断面は実質的に長方形であり、
前記端部の水平断面は円弧状であることを特徴とする表示パネル。
【請求項２】
前記筒部の前記側壁の前記水平断面を構成する直線に垂直な平面で切断したときの、前記筒部の垂直断面は、円形、部分円形、楕円形、または角丸四角形であることを特徴とする請求項１に記載の表示パネル。
【請求項３】
前記ケース構造が１個の前記端部を含む場合、１個の前記端部と前記筒部の一端は平滑な構造により連結され、
前記ケース構造が２個の前記端部を含む場合、２個の前記端部と前記筒部の両端は平滑な構造により連結されることを特徴とする請求項２に記載の表示パネル。
【請求項４】
前記筒部と前記端部は一体に成型されるかまたは着脱可能に連結されることを特徴とする請求項３に記載の表示パネル。
【請求項５】
前記筒部の前記垂直断面は円形であり、前記端部は半球形であることを特徴とする請求項２に記載の表示パネル。
【請求項６】
前記表示パネルは自発光型表示パネルまたは投影型表示パネルであることを特徴とする請求項１から５のいずれか１項に記載の表示パネル。
【請求項７】
前記表示パネルは２Ｄ画像または３Ｄ画像を表示することに用いられることを特徴とする請求項１から６のいずれか１項に記載の表示パネル。
【発明の詳細な説明】
【技術分野】
【０００１】
［関連出願への相互参照］
この出願は、出願日が２０１５年８月１０日、出願番号が２０１５１０４８７８８１．９、発明の名称が「表示パネル」である中国特許出願の優先権と、出願日が２０１５年８月１０日、出願番号が２０１５２０５９９４５８．３、発明の名称が「表示パネル」である中国特許出願の優先権とを主張し、これら中国特許出願の全内容を本出願に援用する。
【０００２】
［技術分野］
本発明は、表示技術に関し、特に表示パネルに関するものである。
【背景技術】
【０００３】
この部分を説明する目的は特許請求の範囲と明細書の実施例に向かって背景技術または関連文献を提供することにある。この部分に記載されている事項はいずれも従来の技術になると認めてはいけない。
【０００４】
人類の情報伝播技術を発展させる目的は情報のエントロピーを低減することにあり、最終の目的は情報のエントロピーをゼロにすることにより真実に近付く情報を獲得することにある。映画の発展に伴い、表示パネルは変革、発展、更新されている。
【０００５】
表示パネルの形状により従来の表示パネルを平面パネル、環状パネルおよび球面型パネルに分類することができる。「高臨場感ディスプレイ」（ＩＳＢＮ：７０３０１１０２１８、谷千束編）には高臨場感ディスプレイを獲得するため高解像度、フルカラー、立体感、無境界性を向上させる必要があると記載されている。この無境界性とは、一般の視聴者は可視範囲内において表示装置の表示画面と現実世界とが交わる所を感知することができないことを意味する。すなわち、視聴者は表示パネルの境界を感知することができないので、高臨場感を獲得することができる。平面パネル、環状パネルおよび球面型パネルにより高解像度、フルカラー、立体感を容易に獲得することができるが、実際の応用において、平面パネルと環状パネルを非常に大きくすることができず、かつ視聴者を包囲することができないので、平面パネルと環状パネルにより無境界性を獲得することができない。球面型パネルは視聴者を容易に包囲することができ、一般の視聴者は可視範囲内において表示パネルの境界を感知することができないので、球面型パネルにより無境界性を獲得し、視聴者に高臨場感を与えることができる。
【０００６】
現在、球面型パネルに関する特許文献はたくさんある。例えば、特許文献１（登録日２０１１年１１月８日）には無隙間、無暗影、バックライト形式の上部曲面型表示システムが公開されている。このシステムは複数個の半透明パネルで構成される３６０度表示パネルを含み、複数個の半透明パネルにより上部曲面型表示パネル、すなわち一部分が球面型である表示パネルが構成される。しかしながら、このような表示パネルは、組立が複雑であり、コスト、時間および人件費が多くかかる欠点を有している。
【０００７】
また、特許文献２（登録日２０１５年３月３１日）には映画システムが公開されている。この映画システムは、上部が曲面型であるパネル、すなわち一部分が球面型であるパネルを含む。このパネルは球冠を含むか或いは球冠を含まず、前述の上部が曲面型であるパネルは視聴者の周囲に設けられる。
【０００８】
従来の球面型パネルと特許文献中の球面型パネルは視聴者の臨場感を向上させる利点を有しているが、実際の応用において、視聴者の椅子は一列ずつに配列されており、両側の視聴者は中央の位置から多く離れているので、視聴者が水平方向に球面型パネルを見るとき、球面型パネルの傾斜角が大きいことにより、一般の視聴者は適合な視聴角度を獲得することができず、視聴の快適性が悪くなるおそれがある。両側の視聴者が快適な視聴角度を獲得するようにするため球面型パネルの直径を大きくする必要があるが、これにより球面型パネルのコストが増加するおそれがある。
【先行技術文献】
【特許文献】
【０００９】
【特許文献１】米国特許第８０５４５４７号明細書
【特許文献２】米国特許第８９９２３３６号明細書
【発明の概要】
【発明が解決しようとする課題】
【００１０】
従来の技術の問題を解決するため、本発明は、視聴者の臨場感を向上させ、視聴者が快適な視聴角度を獲得することができ、かつ配置空間を多く占めない表示パネルを提供する。
【課題を解決するための手段】
【００１１】
本発明の実施例は、表示パネルであって、前記表示パネルは全体密閉型または一部分密閉型のケース構造を有し、前記ケース構造の内部には視野角が１８０度から３６０度である連続画像が水平方向に提供され、前記ケース構造は筒部を含み、前記筒部の側壁の軸方向の断面は平滑な円弧に形成されるかまたは直線に形成され、円弧に形成される場合、前記円弧に対応する円形の半径は前記円弧と軸線との間の最大直線距離より大きい、表示パネルを提供する。
【００１２】
本発明の一実施例において、前記筒部の横方向の断面は、円形、楕円形、非対称円形、または角丸四角形である。
【００１３】
本発明の一実施例において、前記筒部の横方向の断面が角丸四角形であるとき、前記四角形は矩形である。
【００１４】
本発明の一実施例において、前記ケース構造は１個または２個の端部を含み、
前記ケース構造が１個の端部を含む場合、１個の前記端部と前記筒部の一端は平滑な構造により連結され、
前記ケース構造が２個の端部を含む場合、２個の前記端部と前記筒部の両端は平滑な構造により連結される。
【００１５】
本発明の一実施例において、前記筒部と前記端部は一体に成型されるかまたは着脱可能に連結される。
【００１６】
本発明の一実施例において、前記筒部の側壁の軸方向の断面が直線に形成されるとき、前記筒部の横方向の断面は円形であり、前記端部は半球形である。
【００１７】
本発明の一実施例において、前記ケース構造は楕円形構造である。
【００１８】
本発明の一実施例において、前記楕円形構造の横方向の断面は円形または楕円形である。
【００１９】
本発明の一実施例において、前記表示パネルは自発光型表示パネルまたは投影型表示パネルである。
【００２０】
本発明の一実施例において、前記表示パネルは２Ｄ画像または３Ｄ画像を表示することに用いられる。
【図面の簡単な説明】
【００２１】
【図１】本発明の表示パネルの実施例に係る、筒部の軸方向の断面を示す図である。
【図２】本発明に係る、筒部の横方向の断面が円形である全体密閉型表示パネルの実施例を示す図である。
【図３】本発明に係る、筒部の横方向の断面が楕円形である全体密閉型表示パネルの実施例を示す図である。
【図４】本発明に係る、筒部の横方向の断面が角丸正方形である全体密閉型表示パネルの実施例を示す図である。
【図５】本発明に係る、筒部の横方向の断面が上下非対称円形である全体密閉型表示パネルの実施例を示す図である。
【図６】本発明に係る、ケース構造全体が楕円体でありかつ該楕円体の横方向の断面は円形である全体密閉型表示パネルの実施例を示す図である。
【図７】本発明に係る、ケース構造全体が楕円体でありかつ該楕円体の横方向の断面は楕円形である全体密閉型表示パネルの実施例を示す図である。
【図８】本発明に係る、図２の表示パネルの底部がカットされた一部分密閉型表示パネルの実施例を示す図である。
【図９】本発明に係る、図３の表示パネルの底部がカットされた一部分密閉型表示パネルの実施例を示す図である。
【図１０】本発明に係る、図４の表示パネルの底部がカットされた一部分密閉型表示パネルの実施例を示す図である。
【図１１】本発明に係る、図５の表示パネルの底部がカットされた一部分密閉型表示パネルの実施例を示す図である。
【図１２】本発明に係る、図６の表示パネルの底部がカットされた一部分密閉型表示パネルの実施例を示す図である。
【図１３】本発明に係る、図７の表示パネルの底部がカットされた一部分密閉型表示パネルの実施例を示す図である。
【図１４】本発明に係る、図２の表示パネルの後部がカットされた一部分密閉型表示パネルの実施例を示す図である。
【図１５】本発明に係る、図３の表示パネルの後部がカットされた一部分密閉型表示パネルの実施例を示す図である。
【図１６】本発明に係る、図４の表示パネルの後部がカットされた一部分密閉型表示パネルの実施例を示す図である。
【図１７】本発明に係る、図５の表示パネルの後部がカットされた一部分密閉型表示パネルの実施例を示す図である。
【図１８】本発明に係る、図６の表示パネルの後部がカットされた一部分密閉型表示パネルの実施例を示す図である。
【図１９】本発明に係る、図７の表示パネルの後部がカットされた一部分密閉型表示パネルの実施例を示す図である。
【図２０】本発明に係る、図２の表示パネルの底部と後部がカットされた一部分密閉型表示パネルの実施例を示す図である。
【図２１】本発明に係る、図３の表示パネルの底部と後部がカットされた一部分密閉型表示パネルの実施例を示す図である。
【図２２】本発明に係る、図４の表示パネルの底部と後部がカットされた一部分密閉型表示パネルの実施例を示す図である。
【図２３】本発明に係る、図５の表示パネルの底部と後部がカットされた一部分密閉型表示パネルの実施例を示す図である。
【図２４】本発明に係る、図６の表示パネルの底部と後部がカットされた一部分密閉型表示パネルの実施例を示す図である。
【図２５】本発明に係る、図７の表示パネルの底部と後部がカットされた一部分密閉型表示パネルの実施例を示す図である。
【図２６】本発明に係る、図２の表示パネルの一端部がカットされた一部分密閉型表示パネルの実施例を示す図である。
【図２７】本発明に係る、図３の表示パネルの一端部がカットされた一部分密閉型表示パネルの実施例を示す図である。
【図２８】本発明に係る、図４の表示パネルの一端部がカットされた一部分密閉型表示パネルの実施例を示す図である。
【図２９】本発明に係る、図５の表示パネルの一端部がカットされた一部分密閉型表示パネルの実施例を示す図である。
【図３０】本発明に係る、図６の表示パネルの一端部がカットされた一部分密閉型表示パネルの実施例を示す図である。
【図３１】本発明に係る、図７の表示パネルの一端部がカットされた一部分密閉型表示パネルの実施例を示す図である。
【図３２】本発明に係る、図２の表示パネルの一端部と底部がカットされた一部分密閉型表示パネルの実施例を示す図である。
【図３３】本発明に係る、図３の表示パネルの一端部と底部がカットされた一部分密閉型表示パネルの実施例を示す図である。
【図３４】本発明に係る、図４の表示パネルの一端部と底部がカットされた一部分密閉型表示パネルの実施例を示す図である。
【図３５】本発明に係る、図５の表示パネルの一端部と底部がカットされた一部分密閉型表示パネルの実施例を示す図である。
【図３６】本発明に係る、図６の表示パネルの一端部と底部がカットされた一部分密閉型表示パネルの実施例を示す図である。
【図３７】本発明に係る、図７の表示パネルの一端部と底部がカットされた一部分密閉型表示パネルの実施例を示す図である。
【発明を実施するための形態】
【００２２】
本発明の技術的事項をよく理解してもらうため、以下、本発明の実施例と図面により本発明の実施例に係る技術事項を詳細に、充分に説明する。下記の実施例は本発明の一部分の実施例であり、本発明の全部の実施例を示すものでない。本技術分野の技術者が本発明の実施例に基づいて創造的な研究をせずに想到できる他の実施例があっても、これらが本発明に含まれることは勿論である。
【００２３】
従来の表示パネルは、平面パネル、環状パネルおよび球面型パネルを含む。平面パネルは平面型の矩形であるパネルであり、環状パネルは一定の高度を有する環状のパネルであり、球面型パネルは球面型のパネルである。実際の応用において、コストにより平面パネルの長さおよび幅と環状パネルの高度とを非常に大きくすることができないので、視聴者は表示パネルの表示画面と実物との間の境界を感知することができる。球面型パネルにより視聴者全体が包囲されるか或いは一部分が包囲されるので、視聴者は可視範囲内において表示パネルの表示画面と現実世界との間の境界を感知することができない。これにより視聴者は球面型パネルの画面中に入っている効果を獲得し、視聴者に高臨場感を与えることができる。
【００２４】
しかしながら、本発明の発明者の観察によると、通常、視聴者の椅子は一列ずつに配列されており、椅子の中央位置は球面型パネルの球体中心に近付くか或いは球面型パネルの球体中心に位置しているので、中央位置の視聴者は水平方向に球面型パネルを見るとき対称状態の球面型パネルを目に入れ、快適な視聴角度を獲得することができる。しかしながら、椅子の中央位置から多く離れている視聴者は、水平方向に球面型パネルを見るとき、球面型パネルの傾斜角が大きいことにより快適な視聴角度を獲得することができない。椅子の中央位置から多く離れている視聴者の快適性を確保するため、球面型パネルの直径を大きくしなければならないが、これにより球面型パネルのコストが増加するおそれがある。
【００２５】
上述した技術的問題を解決するため、本発明の実施例において次の表示パネルを提供する。この表示パネルは全体密閉型または一部分密閉型のケース構造を有し、このケース構造の内部には視野角が１８０度から３６０度である連続画像が水平方向に提供される。
【００２６】
ケース構造は筒部を含み、この筒部の側壁の軸方向の断面は平滑な円弧に形成されるか或いは直線に形成される。円弧に形成される場合、円弧に対応する円形の半径は円弧と軸線との間の最大直線距離より大きい。
【００２７】
以下、本実施例の技術的事項の基礎原理について説明する。
【００２８】
図１を参照すると、この図面には本実施例の筒部の側壁の軸方向の断面が示されている。点線ｘｘ’は筒部の軸線を示し、筒部の側壁の軸方向の断面が平滑な円弧に形成される場合、円弧に対応する円形（実線円）の円心はＯであり、半径はＲであり、円弧と軸線ｘｘ’との間の最大直線距離はｈである。
【００２９】
図１において、円心がｎであり、半径がｈである点線円は、球面型パネルの軸方向の断面を示す。視聴者（黒色の三角形で示す）が水平方向（矢印が示す方向）に前方の表示パネルを見るとき、ｈ一定の条件下では、本実施例において筒部の円弧に対応する円形の半径Ｒがｈより大きいことにより、当該円弧の弧度は半径がｈである球面型パネルの円弧の弧度より大きくなる。これにより、視聴者が表示パネルを見る快適性を向上させ、特に中央位置から離れている視聴者の快適性を向上させることができる。
【００３０】
球面型パネルの弧度と筒部の弧度が同様であるとき、視聴者の視聴の快適性を確保するため、半径Ｒである球面型パネル（実線で示す円形）を構成する必要がある。図面に示されるとおり、半径Ｒである円形の面積は筒部の断面の面積より大きいので、半径Ｒである球面型パネルと比較する場合、筒部の体積は当該球面型パネルの体積より小さい可能性がある。これにより本実施例に係る表示パネルは製造コストを有効に低減することができる。
【００３１】
図１には本実施例の筒部の側壁の軸方向の断面が円弧に形成されたことが示されている。実際の応用において、筒部の側壁の軸方向の断面は直線に形成されることもできる。この場合、１つの軸方向の断面において、筒部の側壁のいずれかの点から筒部の軸線までの距離は同様である。したがって、一列の椅子に座っている視聴者は前の表示パネルを見るとき同様の快適性を獲得し、水平方向の最高の快適性を獲得することができる。しかしながら、球面型パネルによりこのような快適性を獲得することができない。それは、球面型パネルの弧度が直線の弧度に近付くようにし、球面型パネルの直径を無限大にしなければならないが、実際の応用においてこれを実現することができないからである。無限大の球面型パネルの体積と比較してみると、本実施例の表示パネルは体積が小さく、製造コストを低減できる利点を有している。
【００３２】
本実施例の表示パネルはケース構造を有し、このケース構造は全体密閉型または一部分密閉型構造であることができる。以下、まず全体密閉型の表示パネルに関する複数個の実施例を説明する。ケース構造が全体密閉型構造であるとき、ケース構造は筒部の両端部を密閉させ、この両端部と筒部はいずれも平滑な構造により連結される。端部と筒部は一体に成型されるか或いは着脱可能に連結される。
【００３３】
全体密閉型表示パネルの実施例において、まず筒部の側壁の軸方向の断面が直線に形成されている実施例を説明する。
【００３４】
一実施例において、図２を参照すると、図２（ａ）は表示パネルを示す正面図であり（斜線は地面を示す、以下同様）、図２（ｂ）は表示パネルを示す平面図であり、図２（ｃ）は表示パネルを示す左（または右）側面図であり、図２（ｄ）は表示パネルを示す斜視図である。図２の４つの図面に示されるとおり、表示パネルの筒部の横方向の断面は円形であり、両端部は半球形であり、ケース構造全体の形状はカプセルに似ている。本実施例において円形の半径の数値を具体的に限定しない。本技術分野の技術者は実際の状況によりそれを適当に設計することができる。
【００３５】
他の実施例において、図３を参照すると、図３（ａ）は表示パネルを示す正面図であり、図３（ｂ）は表示パネルを示す平面図であり、図３（ｃ）は表示パネルを示す左（または右）側面図であり、図３（ｄ）は表示パネルを示す斜視図である。図３の４つの図面に示されるとおり、表示パネルの筒部の横方向の断面は楕円形である。本実施例において、楕円形の長軸と短軸の数値を具体的に限定せず、長軸と短軸の比例も具体的に限定しない。本技術分野の技術者は実際の状況によりそれらを適当に設計することができる。
【００３６】
他の実施例において、図４を参照すると、図４（ａ）は表示パネルを示す正面図であり、図４（ｂ）は表示パネルを示す平面図であり、図４（ｃ）は表示パネルを示す左（または右）側面図であり、図４（ｄ）は表示パネルを示す斜視図である。図４の４つの図面に示されるとおり、表示パネルの筒部の横方向の断面は角丸正方形である。実際の応用において、筒部の横方向の断面は角丸の長方形または他の四角形であることもできる。角丸とした目的は両端部との平滑な連結を実現することにある。本実施例において、四角形の各辺の長さの数値と丸めた角の半径ｒの数値を具体的に限定しない。本技術分野の技術者は実際の状況によりそれらを適当に設計することができる。
【００３７】
他の実施例において、図５を参照すると、図５（ａ）は表示パネルを示す正面図であり、図５（ｂ）は表示パネルを示す平面図であり、図５（ｃ）は表示パネルを示す左（または右）側面図であり、図５（ｄ）は表示パネルを示す斜視図である。図５の４つの図面に示されるとおり、表示パネルの筒部の横方向の断面は上下非対称円形である。実際の応用において、筒部の横方向の断面を左右非対称円形にすることもできる。本実施例において、非対称円形の数値を具体的に限定しない。本技術分野の技術者は実際の状況によりそれを適当に設計することができる。
【００３８】
図２から図５には筒部の側壁の軸方向の断面が直線に形成された実施例が示されているが、これらの実施例は本発明の例示にしか過ぎないものであり、本発明は当該実施例の構成にのみ限定されるものではない。筒部の側壁の軸方向の断面が直線に形成される実施例はいずれも、本発明の保護範囲に含まれることは勿論である。図２から図５の各実施例において、これらの共通点は筒部の側壁の軸方向の断面が直線に形成されることにあり、相違点は筒部の横方向の断面が異なっていること、すなわち一部分の弧度が大きく、一部分の弧度が小さいことにある。視聴者に対して、横方向の断面の弧度が小さければ小さいほど、視聴の快適性がよくなり、逆に、横方向の断面の弧度が大きければ大きいほど、視聴の快適性が悪くなる。上述した４つの実施例において、筒部の横方向の断面が角丸四角形である場合、表示パネルの視聴の効果が最高になる。
【００３９】
以下、表示パネルは全体密閉型表示パネルであり、筒部の側壁の軸方向の断面は円弧に形成されている実施例を説明する。
【００４０】
一実施例において、図６を参照すると、図６（ａ）は表示パネルを示す正面図であり、図６（ｂ）は表示パネルを示す平面図であり、図６（ｃ）は表示パネルを示す左（または右）側面図であり、図６（ｄ）は表示パネルを示す斜視図である。図６の４つの図面に示されるとおり、表示パネルのケース構造全体は楕円体であり、該楕円体の横方向の断面は円形である。本実施例において、図６の楕円体の数値を具体的に限定しない。本技術分野の技術者は実際の状況によりそれを適当に設計することができる。
【００４１】
他の実施例において、図７を参照すると、図７（ａ）は表示パネルを示す正面図であり、図７（ｂ）は表示パネルを示す平面図であり、図７（ｃ）は表示パネルを示す左（または右）側面図であり、図７（ｄ）は表示パネルを示す斜視図である。図６の表示パネルと比較してみると、共通点は図７の表示パネルのケース構造全体も楕円体であることにあり、相違点は該楕円体の横方向の断面は楕円であることにある。本実施例において、図７の楕円体の数値を具体的に限定しない。本技術分野の技術者は実際の状況によりそれを適当に設計することができる。
【００４２】
上述したとおり、図６と図７の実施例は筒部の側壁の軸方向の断面が円弧に形成されていることを示す実施例である。筒部の側壁の軸方向の断面が円弧に形成される場合、筒部の横方向の断面は非対称円形、角丸四角形などであることができる。注意されたいことは、筒部の側壁の軸方向の断面が円弧または直線に形成されることは、筒部の側壁の軸方向の断面がいずれも円弧または直線に形成されることを意味するものでない。一部分の側壁は直線に形成され、一部分の側壁は円弧に形成されることができる。例えば、視聴者に向かう表示パネルの側壁は直線に形成され、視聴者の上部の表示パネルの側壁は円弧に形成されることができる。
【００４３】
前述の実施例において、全体密閉型ケース構造を有する表示パネルについて説明してきた。全体密閉型表示パネルは、視聴者が３０６度の範囲内のいずれかの方向に表示画像を観覧し、視聴者に与える無境界体験感が高いという利点を有しているが、コストが高いという欠点も有している。コストを低減するため、実際の応用において、表示パネルは一部分密閉型ケース構造を採用することができる。以下、一部分密閉型ケース構造を有する表示パネルの実施例を１つずつ説明する。実際の応用において、視聴者は椅子の底部に向かって表示画像を見ないので、表示パネルの底部をカットすることができる。
【００４４】
一実施例において、図８を参照すると、図８は図２の表示パネルの底部がカットされた表示パネルを示す図である。図８において、図８（ａ）は表示パネルを示す正面図であり、図８（ｂ）は表示パネルを示す平面図であり、図８（ｃ）は表示パネルを示す左（または右）側面図であり、図８（ｄ）は表示パネルを示す斜視図である。
【００４５】
他の実施例において、図９を参照すると、図９は図３の表示パネルの底部がカットされた表示パネルを示す図である。図９において、図９（ａ）は表示パネルを示す正面図であり、図９（ｂ）は表示パネルを示す平面図であり、図９（ｃ）は表示パネルを示す左（または右）側面図であり、図９（ｄ）は表示パネルを示す斜視図である。
【００４６】
他の実施例において、図１０を参照すると、図１０は図４の表示パネルの底部がカットされた表示パネルを示す図である。図１０において、図１０（ａ）は表示パネルを示す正面図であり、図１０（ｂ）は表示パネルを示す平面図であり、図１０（ｃ）は表示パネルを示す左（または右）側面図であり、図１０（ｄ）は表示パネルを示す斜視図である。
【００４７】
他の実施例において、図１１を参照すると、図１１は図５の表示パネルの底部がカットされた表示パネルを示す図である。図１１において、図１１（ａ）は表示パネルを示す正面図であり、図１１（ｂ）は表示パネルを示す平面図であり、図１１（ｃ）は表示パネルを示す左（または右）側面図であり、図１１（ｄ）は表示パネルを示す斜視図である。
【００４８】
他の実施例において、図１２を参照すると、図１２は図６の表示パネルの底部がカットされた表示パネルを示す図である。図１２において、図１２（ａ）は表示パネルを示す正面図であり、図１２（ｂ）は表示パネルを示す平面図であり、図１２（ｃ）は表示パネルを示す左（または右）側面図であり、図１２（ｄ）は表示パネルを示す斜視図である。
【００４９】
他の実施例において、図１３を参照すると、図１３は図７の表示パネルの底部がカットされた表示パネルを示す図である。図１３において、図１３（ａ）は表示パネルを示す正面図であり、図１３（ｂ）は表示パネルを示す平面図であり、図１３（ｃ）は表示パネルを示す左（または右）側面図であり、図１３（ｄ）は表示パネルを示す斜視図である。
【００５０】
本出願において、具体的な表示パネルのカット量、すなわちケース構造の開口の程度を具体的に限定しない。実際の応用において、視聴者の椅子のサイズおよび位置、表示パネルのサイズなどによりカット量を確定し、視聴者の垂直方向の観覧と無境界感に影響を与えない程度であればそれを自由に確定することができる。好適な実施例において、少なくとも、第一列の視聴者が前方を見るとき、その視野が表示パネルの最底部を見ることを確保しなければならず、一般的に、肉眼の垂直視野の下限は水平線からその下の７０度までである。
【００５１】
実際の応用において、視聴者は椅子の後方に向かって表示画像を見ないので、表示パネルの後部をカットすることができる。
【００５２】
一実施例において、図１４を参照すると、図１４は図２の表示パネルの後部がカットされた表示パネルを示す図である。図１４において、図１４（ａ）は表示パネルを示す正面図であり、図１４（ｂ）は表示パネルを示す平面図であり、図１４（ｃ）は表示パネルを示す左（または右）側面図であり、図１４（ｄ）は表示パネルを示す斜視図である。
【００５３】
他の実施例において、図１５を参照すると、図１５は図３の表示パネルの後部がカットされた表示パネルを示す図である。図１５において、図１５（ａ）は表示パネルを示す正面図であり、図１５（ｂ）は表示パネルを示す平面図であり、図１５（ｃ）は表示パネルを示す左（または右）側面図であり、図１５（ｄ）は表示パネルを示す斜視図である。
【００５４】
他の実施例において、図１６を参照すると、図１６は図４の表示パネルの後部がカットされた表示パネルを示す図である。図１６において、図１６（ａ）は表示パネルを示す正面図であり、図１６（ｂ）は表示パネルを示す平面図であり、図１６（ｃ）は表示パネルを示す左（または右）側面図であり、図１６（ｄ）は表示パネルを示す斜視図である。
【００５５】
他の実施例において、図１７を参照すると、図１７は図５の表示パネルの後部がカットされた表示パネルを示す図である。図１７において、図１７（ａ）は表示パネルを示す正面図であり、図１７（ｂ）は表示パネルを示す平面図であり、図１７（ｃ）は表示パネルを示す左（または右）側面図であり、図１７（ｄ）は表示パネルを示す斜視図である。
【００５６】
他の実施例において、図１８を参照すると、図１８は図６の表示パネルの後部がカットされた表示パネルを示す図である。図１８において、図１８（ａ）は表示パネルを示す正面図であり、図１８（ｂ）は表示パネルを示す平面図であり、図１８（ｃ）は表示パネルを示す左（または右）側面図であり、図１８（ｄ）は表示パネルを示す斜視図である。
【００５７】
他の実施例において、図１９を参照すると、図１９は図７の表示パネルの後部がカットされた表示パネルを示す図である。図１９において、図１９（ａ）は表示パネルを示す正面図であり、図１９（ｂ）は表示パネルを示す平面図であり、図１９（ｃ）は表示パネルを示す左（または右）側面図であり、図１９（ｄ）は表示パネルを示す斜視図である。
【００５８】
本出願において、具体的な表示パネルの後部のカット量、すなわちケース構造の開口の程度を具体的に限定しない。実際の応用において、視聴者の椅子のサイズ、位置および表示パネルのサイズなどによりカット量を確定し、視聴者の正常な観覧と無境界感に影響を与えない程度であればそれを自由に確定することができる。好適な実施例において、少なくとも、第一列の視聴者が前方を見るとき、その視野が表示パネルの最上方を見ることを確保しなければならず、一般的に、肉眼の垂直視野の上限は水平線からその上の５０度までである。
【００５９】
実際の応用において、コストを低減するため、前記表示パネルの底部と後部を一緒にカットすることができる。
【００６０】
一実施例において、図２０を参照すると、図２０は図２の表示パネルの底部と後部がカットされた表示パネルを示す図である。図２０において、図２０（ａ）は表示パネルを示す正面図であり、図２０（ｂ）は表示パネルを示す平面図であり、図２０（ｃ）は表示パネルを示す左（または右）側面図であり、図２０（ｄ）は表示パネルを示す斜視図である。
【００６１】
他の実施例において、図２１を参照すると、図２１は図３の表示パネルの底部と後部がカットされた表示パネルを示す図である。図２１において、図２１（ａ）は表示パネルを示す正面図であり、図２１（ｂ）は表示パネルを示す平面図であり、図２１（ｃ）は表示パネルを示す左（または右）側面図であり、図２１（ｄ）は表示パネルを示す斜視図である。
【００６２】
他の実施例において、図２２を参照すると、図２２は図４の表示パネルの底部と後部がカットされた表示パネルを示す図である。図２２において、図２２（ａ）は表示パネルを示す正面図であり、図２２（ｂ）は表示パネルを示す平面図であり、図２２（ｃ）は表示パネルを示す左（または右）側面図であり、図２２（ｄ）は表示パネルを示す斜視図である。
【００６３】
他の実施例において、図２３を参照すると、図２３は図５の表示パネルの底部と後部がカットされた表示パネルを示す図である。図２３において、図２３（ａ）は表示パネルを示す正面図であり、図２３（ｂ）は表示パネルを示す平面図であり、図２３（ｃ）は表示パネルを示す左（または右）側面図であり、図２３（ｄ）は表示パネルを示す斜視図である。
【００６４】
他の実施例において、図２４を参照すると、図２４は図６の表示パネルの底部と後部がカットされた表示パネルを示す図である。図２４において、図２４（ａ）は表示パネルを示す正面図であり、図２４（ｂ）は表示パネルを示す平面図であり、図２４（ｃ）は表示パネルを示す左（または右）側面図であり、図２４（ｄ）は表示パネルを示す斜視図である。
【００６５】
他の実施例において、図２５を参照すると、図２５は図７の表示パネルの底部と後部がカットされた表示パネルを示す図である。図２５において、図２５（ａ）は表示パネルを示す正面図であり、図２５（ｂ）は表示パネルを示す平面図であり、図２５（ｃ）は表示パネルを示す左（または右）側面図であり、図２５（ｄ）は表示パネルを示す斜視図である。
【００６６】
本出願において、表示パネルの底部と後部の具体的なカット量を限定しない。実際の応用において、視聴者の椅子のサイズ、位置および表示パネルのサイズなどによりカット量を確定し、視聴者の正常な観覧と無境界感に影響を与えない程度であればそれを自由に確定することができる。好適な実施例において、少なくとも、第一列の視聴者が前方を見るとき、この視野が表示パネルの最上方と最底部を見ることを確保しなければならず、一般的に、肉眼の垂直視野の上限は水平線からその上の５０度までであり、下限は水平線からその下の７０度までである。
【００６７】
図１から図２５の実施例の表示パネルはいずれも、水平方向で対称の構造になっているが、実際の応用において、非対称の構造にすることができる。例えば、ケース構造は一端部のみを含むことができる。
【００６８】
一実施例において、図２６を参照すると、図２６は図２の表示パネルの一端部がカットされた表示パネルを示す図である。図２６において、図２６（ａ）は表示パネルを示す正面図であり、図２６（ｂ）は表示パネルを示す平面図であり、図２６（ｃ）は表示パネルを示す左（または右）側面図であり、図２６（ｄ）は表示パネルを示す斜視図である。
【００６９】
他の実施例において、図２７を参照すると、図２７は図３の表示パネルの一端部がカットされた表示パネルを示す図である。図２７において、図２７（ａ）は表示パネルを示す正面図であり、図２７（ｂ）は表示パネルを示す平面図であり、図２７（ｃ）は表示パネルを示す左（または右）側面図であり、図２７（ｄ）は表示パネルを示す斜視図である。
【００７０】
他の実施例において、図２８を参照すると、図２８は図４の表示パネルの一端部がカットされた表示パネルを示す図である。図２８において、図２８（ａ）は表示パネルを示す正面図であり、図２８（ｂ）は表示パネルを示す平面図であり、図２８（ｃ）は表示パネルを示す左（または右）側面図であり、図２８（ｄ）は表示パネルを示す斜視図である。
【００７１】
他の実施例において、図２９を参照すると、図２９は図５の表示パネルの一端部がカットされた表示パネルを示す図である。図２９において、図２９（ａ）は表示パネルを示す正面図であり、図２９（ｂ）は表示パネルを示す平面図であり、図２９（ｃ）は表示パネルを示す左（または右）側面図であり、図２９（ｄ）は表示パネルを示す斜視図である。
【００７２】
他の実施例において、図３０を参照すると、図３０は図６の表示パネルの一端部がカットされた表示パネルを示す図である。図３０において、図３０（ａ）は表示パネルを示す正面図であり、図３０（ｂ）は表示パネルを示す平面図であり、図３０（ｃ）は表示パネルを示す左（または右）側面図であり、図３０（ｄ）は表示パネルを示す斜視図である。
【００７３】
他の実施例において、図３１を参照すると、図３１は図７の表示パネルの一端部がカットされた表示パネルを示す図である。図３１において、図３１（ａ）は表示パネルを示す正面図であり、図３１（ｂ）は表示パネルを示す平面図であり、図３１（ｃ）は表示パネルを示す左（または右）側面図であり、図３１（ｄ）は表示パネルを示す斜視図である。
【００７４】
図２６から図３１の実施例の表示パネルはいずれも端部を１個含んでいるが、表示パネルのコストを更に低減するため、１個の端部を含む前記ケース構造において、ケース構造の底部を更にカットすることができる。
【００７５】
一実施例において、図３２を参照すると、図３２は図２の表示パネルの一端部と底部がカットされた表示パネルを示す図である。図３２において、図３２（ａ）は表示パネルを示す正面図であり、図３２（ｂ）は表示パネルを示す平面図であり、図３２（ｃ）は表示パネルを示す左（または右）側面図であり、図３２（ｄ）は表示パネルを示す斜視図である。
【００７６】
他の実施例において、図３３を参照すると、図３３は図３の表示パネルの一端部と底部がカットされた表示パネルを示す図である。図３３において、図３３（ａ）は表示パネルを示す正面図であり、図３３（ｂ）は表示パネルを示す平面図であり、図３３（ｃ）は表示パネルを示す左（または右）側面図であり、図３３（ｄ）は表示パネルを示す斜視図である。
【００７７】
他の実施例において、図３４を参照すると、図３４は図４の表示パネルの一端部と底部がカットされた表示パネルを示す図である。図３４において、図３４（ａ）は表示パネルを示す正面図であり、図３４（ｂ）は表示パネルを示す平面図であり、図３４（ｃ）は表示パネルを示す左（または右）側面図であり、図３４（ｄ）は表示パネルを示す斜視図である。
【００７８】
他の実施例において、図３５を参照すると、図３５は図５の表示パネルの一端部と底部がカットされた表示パネルを示す図である。図３５において、図３５（ａ）は表示パネルを示す正面図であり、図３５（ｂ）は表示パネルを示す平面図であり、図３５（ｃ）は表示パネルを示す左（または右）側面図であり、図３５（ｄ）は表示パネルを示す斜視図である。
【００７９】
他の実施例において、図３６を参照すると、図３６は図６の表示パネルの一端部と底部がカットされた表示パネルを示す図である。図３６において、図３６（ａ）は表示パネルを示す正面図であり、図３６（ｂ）は表示パネルを示す平面図であり、図３６（ｃ）は表示パネルを示す左（または右）側面図であり、図３６（ｄ）は表示パネルを示す斜視図である。
【００８０】
他の実施例において、図３７を参照すると、図３７は図７の表示パネルの一端部と底部がカットされた表示パネルを示す図である。図３７において、図３７（ａ）は表示パネルを示す正面図であり、図３７（ｂ）は表示パネルを示す平面図であり、図３７（ｃ）は表示パネルを示す左（または右）側面図であり、図３７（ｄ）は表示パネルを示す斜視図である。
【００８１】
本出願において、１個の端部を含む前記ケース構造において、底部がカットされるカット量を具体的に限定しない。実際の応用において、視聴者の椅子のサイズ、位置および表示パネルのサイズなどによりカット量を確定し、視聴者の正常な観覧と無境界感に影響を与えない程度であればそれを自由に確定することができる。好適な実施例において、少なくとも、第一列の視聴者が前方を見るとき、この視野が表示パネルの最底部を見ることを確保しなければならず、一般的に、肉眼の垂直視野の下限は水平線からその下の７０度までである。
【００８２】
本出願の表示パネルは、自発光型表示パネル、例えばＬＥＤ（Ｌｉｇｈｔ−Ｅｍｉｔｔｉｎｇ  Ｄｉｏｄｅ、発光ダイオード）マトリックスパネルまたはＯＬＥＤ（Ｏｒｇａｎｉｃ  Ｌｉｇｈｔ−Ｅｍｉｔｔｉｎｇ  Ｄｉｏｄｅ、有機発光ダイオード）マトリックスパネルであることができ、投影型表示パネルまたは他の表示パネルであることもできる。本出願においてこの種類は限定されない。
【００８３】
表示パネルは２Ｄ画像または３Ｄ画像を表示することに用いられることができる。
【００８４】
以上、本発明の具体的な実施例を詳述してきたが、上述の実施例は本発明の例示にしか過ぎないものであり、本発明は上述の実施例の構成にのみ限定されるものでない。本技術分野の技術者は、本発明の要旨を逸脱しない範囲において設計の変更または改良をすることができ、このような設計の変更または改良等があっても本発明に含まれることは勿論である。
【００８５】
［付記］
［付記１］
表示パネルであって、前記表示パネルは全体密閉型または一部分密閉型のケース構造を有し、前記ケース構造の内部には視野角が１８０度から３６０度である連続画像が水平方向に提供され、前記ケース構造は筒部を含み、前記筒部の側壁の軸方向の断面は平滑な円弧に形成されるかまたは直線に形成され、円弧に形成される場合、前記円弧に対応する円形の半径は前記円弧と軸線との間の最大直線距離より大きいことを特徴とする表示パネル。
【００８６】
［付記２］
前記筒部の横方向の断面は、円形、楕円形、非対称円形、または角丸四角形であることを特徴とする付記１に記載の表示パネル。
【００８７】
［付記３］
前記筒部の横方向の断面が角丸四角形であるとき、前記四角形は矩形であることを特徴とする付記２に記載の表示パネル。
【００８８】
［付記４］
前記ケース構造は１個または２個の端部を含み、
前記ケース構造が１個の端部を含む場合、１個の前記端部と前記筒部の一端は平滑な構造により連結され、
前記ケース構造が２個の端部を含む場合、２個の前記端部と前記筒部の両端は平滑な構造により連結されることを特徴とする付記２または３に記載の表示パネル。
【００８９】
［付記５］
前記筒部と前記端部は一体に成型されるかまたは着脱可能に連結されることを特徴とする付記４に記載の表示パネル。
【００９０】
［付記６］
前記筒部の側壁の軸方向の断面が直線に形成されるとき、前記筒部の横方向の断面は円形であり、前記端部は半球形であることを特徴とする付記４に記載の表示パネル。
【００９１】
［付記７］
前記ケース構造は楕円形構造であることを特徴とする付記１に記載の表示パネル。
【００９２】
［付記８］
前記楕円形構造の横方向の断面は円形または楕円形であることを特徴とする付記７に記載の表示パネル。
【００９３】
［付記９］
前記表示パネルは自発光型表示パネルまたは投影型表示パネルであることを特徴とする付記１に記載の表示パネル。
【００９４】
［付記１０］
前記表示パネルは２Ｄ画像または３Ｄ画像を表示することに用いられることを特徴とする付記１に記載の表示パネル。
【図１】
0006590954.tif 000002
【図２（ａ）】
0006590954.tif 000003
【図２（ｂ）】
0006590954.tif 000004
【図２（ｃ）】
0006590954.tif 000005
【図２（ｄ）】
0006590954.tif 000006
【図３（ａ）】
0006590954.tif 000007
【図３（ｂ）】
0006590954.tif 000008
【図３（ｃ）】
0006590954.tif 000009
【図３（ｄ）】
0006590954.tif 000010
【図４（ａ）】
0006590954.tif 000011
【図４（ｂ）】
0006590954.tif 000012
【図４（ｃ）】
0006590954.tif 000013
【図４（ｄ）】
0006590954.tif 000014
【図５（ａ）】
0006590954.tif 000015
【図５（ｂ）】
0006590954.tif 000016
【図５（ｃ）】
0006590954.tif 000017
【図５（ｄ）】
0006590954.tif 000018
【図６（ａ）】
0006590954.tif 000019
【図６（ｂ）】
0006590954.tif 000020
【図６（ｃ）】
0006590954.tif 000021
【図６（ｄ）】
0006590954.tif 000022
【図７（ａ）】
0006590954.tif 000023
【図７（ｂ）】
0006590954.tif 000024
【図７（ｃ）】
0006590954.tif 000025
【図７（ｄ）】
0006590954.tif 000026
【図８（ａ）】
0006590954.tif 000027
【図８（ｂ）】
0006590954.tif 000028
【図８（ｃ）】
0006590954.tif 000029
【図８（ｄ）】
0006590954.tif 000030
【図９（ａ）】
0006590954.tif 000031
【図９（ｂ）】
0006590954.tif 000032
【図９（ｃ）】
0006590954.tif 000033
【図９（ｄ）】
0006590954.tif 000034
【図１０（ａ）】
0006590954.tif 000035
【図１０（ｂ）】
0006590954.tif 000036
【図１０（ｃ）】
0006590954.tif 000037
【図１０（ｄ）】
0006590954.tif 000038
【図１１（ａ）】
0006590954.tif 000039
【図１１（ｂ）】
0006590954.tif 000040
【図１１（ｃ）】
0006590954.tif 000041
【図１１（ｄ）】
0006590954.tif 000042
【図１２（ａ）】
0006590954.tif 000043
【図１２（ｂ）】
0006590954.tif 000044
【図１２（ｃ）】
0006590954.tif 000045
【図１２（ｄ）】
0006590954.tif 000046
【図１３（ａ）】
0006590954.tif 000047
【図１３（ｂ）】
0006590954.tif 000048
【図１３（ｃ）】
0006590954.tif 000049
【図１３（ｄ）】
0006590954.tif 000050
【図１４（ａ）】
0006590954.tif 000051
【図１４（ｂ）】
0006590954.tif 000052
【図１４（ｃ）】
0006590954.tif 000053
【図１４（ｄ）】
0006590954.tif 000054
【図１５（ａ）】
0006590954.tif 000055
【図１５（ｂ）】
0006590954.tif 000056
【図１５（ｃ）】
0006590954.tif 000057
【図１５（ｄ）】
0006590954.tif 000058
【図１６（ａ）】
0006590954.tif 000059
【図１６（ｂ）】
0006590954.tif 000060
【図１６（ｃ）】
0006590954.tif 000061
【図１６（ｄ）】
0006590954.tif 000062
【図１７（ａ）】
0006590954.tif 000063
【図１７（ｂ）】
0006590954.tif 000064
【図１７（ｃ）】
0006590954.tif 000065
【図１７（ｄ）】
0006590954.tif 000066
【図１８（ａ）】
0006590954.tif 000067
【図１８（ｂ）】
0006590954.tif 000068
【図１８（ｃ）】
0006590954.tif 000069
【図１８（ｄ）】
0006590954.tif 000070
【図１９（ａ）】
0006590954.tif 000071
【図１９（ｂ）】
0006590954.tif 000072
【図１９（ｃ）】
0006590954.tif 000073
【図１９（ｄ）】
0006590954.tif 000074
【図２０（ａ）】
0006590954.tif 000075
【図２０（ｂ）】
0006590954.tif 000076
【図２０（ｃ）】
0006590954.tif 000077
【図２０（ｄ）】
0006590954.tif 000078
【図２１（ａ）】
0006590954.tif 000079
【図２１（ｂ）】
0006590954.tif 000080
【図２１（ｃ）】
0006590954.tif 000081
【図２１（ｄ）】
0006590954.tif 000082
【図２２（ａ）】
0006590954.tif 000083
【図２２（ｂ）】
0006590954.tif 000084
【図２２（ｃ）】
0006590954.tif 000085
【図２２（ｄ）】
0006590954.tif 000086
【図２３（ａ）】
0006590954.tif 000087
【図２３（ｂ）】
0006590954.tif 000088
【図２３（ｃ）】
0006590954.tif 000089
【図２３（ｄ）】
0006590954.tif 000090
【図２４（ａ）】
0006590954.tif 000091
【図２４（ｂ）】
0006590954.tif 000092
【図２４（ｃ）】
0006590954.tif 000093
【図２４（ｄ）】
0006590954.tif 000094
【図２５（ａ）】
0006590954.tif 000095
【図２５（ｂ）】
0006590954.tif 000096
【図２５（ｃ）】
0006590954.tif 000097
【図２５（ｄ）】
0006590954.tif 000098
【図２６（ａ）】
0006590954.tif 000099
【図２６（ｂ）】
0006590954.tif 000100
【図２６（ｃ）】
0006590954.tif 000101
【図２６（ｄ）】
0006590954.tif 000102
【図２７（ａ）】
0006590954.tif 000103
【図２７（ｂ）】
0006590954.tif 000104
【図２７（ｃ）】
0006590954.tif 000105
【図２７（ｄ）】
0006590954.tif 000106
【図２８（ａ）】
0006590954.tif 000107
【図２８（ｂ）】
0006590954.tif 000108
【図２８（ｃ）】
0006590954.tif 000109
【図２８（ｄ）】
0006590954.tif 000110
【図２９（ａ）】
0006590954.tif 000111
【図２９（ｂ）】
0006590954.tif 000112
【図２９（ｃ）】
0006590954.tif 000113
【図２９（ｄ）】
0006590954.tif 000114
【図３０（ａ）】
0006590954.tif 000115
【図３０（ｂ）】
0006590954.tif 000116
【図３０（ｃ）】
0006590954.tif 000117
【図３０（ｄ）】
0006590954.tif 000118
【図３１（ａ）】
0006590954.tif 000119
【図３１（ｂ）】
0006590954.tif 000120
【図３１（ｃ）】
0006590954.tif 000121
【図３１（ｄ）】
0006590954.tif 000122
【図３２（ａ）】
0006590954.tif 000123
【図３２（ｂ）】
0006590954.tif 000124
【図３２（ｃ）】
0006590954.tif 000125
【図３２（ｄ）】
0006590954.tif 000126
【図３３（ａ）】
0006590954.tif 000127
【図３３（ｂ）】
0006590954.tif 000128
【図３３（ｃ）】
0006590954.tif 000129
【図３３（ｄ）】
0006590954.tif 000130
【図３４（ａ）】
0006590954.tif 000131
【図３４（ｂ）】
0006590954.tif 000132
【図３４（ｃ）】
0006590954.tif 000133
【図３４（ｄ）】
0006590954.tif 000134
【図３５（ａ）】
0006590954.tif 000135
【図３５（ｂ）】
0006590954.tif 000136
【図３５（ｃ）】
0006590954.tif 000137
【図３５（ｄ）】
0006590954.tif 000138
【図３６（ａ）】
0006590954.tif 000139
【図３６（ｂ）】
0006590954.tif 000140
【図３６（ｃ）】
0006590954.tif 000141
【図３６（ｄ）】
0006590954.tif 000142
【図３７（ａ）】
0006590954.tif 000143
【図３７（ｂ）】
0006590954.tif 000144
【図３７（ｃ）】
0006590954.tif 000145
【図３７（ｄ）】
0006590954.tif 000146